(57)【要約】デジタル放送ショッピングシステムへ貢献している者がその貢献に対する対価を得られるデジタル放送ショッピングシステムが提供される。受信機メーカも、受信機メーカのデジタル放送ショッピングシステムへの貢献に対する対価が得られるデジタル放送ショッピングシステムが提供される。デジタル放送ショッピングは、購入者発信情報を送出するデジタル放送受信機と、購入者発信情報を受信し受信機使用料請求情報を送出する受信機メーカ側処理装置と、購入者発信情報及び受信機使用料請求情報を受信し受信機使用料支払い処理を行う商品販売会社側処理装置を備える。
2004029846.tif 000002
【特許請求の範囲】
【請求項１】
購入者発信情報を送出するデジタル放送受信機と、
前記購入者発信情報を受信し受信機使用料請求情報を送出する受信機メーカ側処理装置と、
前記購入者発信情報及び前記受信機使用料請求情報を受信し受信機使用料支払い処理を行う商品販売会社側処理装置と
を備えたデジタル放送ショッピングシステム。
【請求項２】
前記購入者発信情報は、
購入しようとする商品の商品名と品番との少なくとも何れかを含む購入商品情報と、
購入者の指定銀行と口座番号と支払い方法との少なくとも何れかを含む購入者情報と、
前記デジタル放送受信機のメーカ名と受信機品番と購入者ＩＤ情報と受信機メーカの受信機使用料振込先銀行と口座番号との少なくとも何れかを含む受信機メーカ情報と、
商品販売会社の名前と連絡先との少なくとも何れかを含む商品販売会社情報と、
購入決定情報とキャンセル情報と商品情報資料請求情報との少なくとも何れかを含む決定キー情報と
を含む請求項１記載のデジタル放送ショッピングシステム。
【請求項３】
前記デジタル放送受信機はリモコンで制御され、
前記リモコンはデジタル放送でショッピングをする際に、購入決定とキャンセルと商品情報資料請求との少なくとも何れを行う決定ボタンをリモコンに備え、
前記デジタル放送受信機は前記決定ボタンを押されることにより前記購入者発信情報を送信する
請求項２記載のデジタル放送ショッピングシステム。
【請求項４】
前記デジタル放送受信機は、
デジタル放送を受信するアンテナと、
前記アンテナで受信したデジタル放送の選局と復調処理を行うチューナと、
前記チューナで選局及び復調された信号から映像ストリームと音声ストリームとデータ放送ストリームを抽出するトランスポートデコーダと、
前記映像ストリーム又は前記音声ストリームを映像信号又は音声信号にデコードするＡＶデコーダと、
前記データ放送ストリームをデータ放送信号にデコードするＣＰＵと、
前記データ放送信号と前記映像信号とを合成するデータ放送表示制御合成回路と、
前記合成回路の出力と前記音声信号を出力する出力端子と、
公衆回線との接続を行うモデムと、
前記デジタル受信機をリモコンで制御するためのリモコンインターフェース回路と、
前記データ放送ストリームと前記データ放送信号と前記映像ストリームと前記音声ストリームを蓄積する大容量記録装置と
を備えた請求項２記載のデジタル放送ショッピングシステム。
【請求項５】
前記受信機メーカ側処理装置は、
前記購入者発信情報を受信し、前記購入者発信情報から前記商品販売会社情報を抽出する商品販売会社情報受信手段と、
前記商品販売会社情報受信手段の出力に基づき前記商品販売会社側処理装置に対して受信機使用料を請求する情報を送出する受信機使用料請求手段と
を備えた請求項２記載のデジタル放送ショッピングシステム
【請求項６】
前記商品販売会社側処理装置は、
前記購入者発信情報を受信し、前記購入者発信情報から前記購入者情報を抽出する購入者情報抽出手段と、
前記購入者情報抽出手段の出力に基づき購入者が支払い済みであることを示す情報を入手する支払い済み確認手段と
を備えた請求項２記載のデジタル放送ショッピングシステム。
【請求項７】
前記商品販売会社側処理装置は、
前記購入者発信情報から前記メーカ名と前記受信機使用料振込先銀行と前記口座情報との少なくとも何れかを抽出する受信機メーカ情報抽出手段と、
前記受信機使用料請求を送出した前記受信機メーカ側処理装置の受信機メーカと前記受信機メーカ抽出手段で抽出された受信機メーカとが同一であるか否かを確認する受信機メーカ確認手段と、
前記支払い済み確認手段からの支払い済みであることを示す情報に基づき前記受信機メーカ確認手段で確認された受信機メーカの前記受信機使用料振込先銀行の口座に対して前記受信機使用料の送金処理を行う受信機使用料支払い手段と
を更に備えた請求項６記載のデジタル放送ショッピングシステム。
【請求項８】
前記受信機使用料は、前記決定ボタンで、購入決定、キャンセル又は商品情報資料請求のいづれかを行った場合に課金する請求項３記載のデジタル放送ショッピングシステム。
【発明の詳細な説明】
【技術分野】  本発明はデジタル放送を利用したショッピング、即ちデジタル放送ショッピングシステムに関する。
【背景技術】  近年、ＢＳ放送（日本の放送衛星によるテレビジョン放送）やＣＳ放送（日本の通信衛星によるテレビジョン放送）がデジタル化され、デジタルテレビジョン放送（以降、デジタル放送と記載する）が普及の方向にある。デジタル放送では、映像や音声の高品質化に加え、データ放送によるショッピングも注目をあびている。
デジタル放送ショッピングシステムでは、放送でＣＭ（コマーシャルメッセージ）などが送信され、そのデータは受信機内部の大容量記録装置に記録される。ショッピング時には、放送で送られてきたＣＭなどのデータがデコードされてテレビなどに表示され、テレビを見ながらショッピングが行われる。また購入が決定した場合や更なる商品情報請求は、デジタル放送受信機に内蔵されているモデムを用いて行われる。
以下、図５を用いて従来のデジタル放送ショッピングシステムについて説明する。商品販売会社１００１は、放送局１００２に対しデジタル放送ショッピングを依頼し、その代金としてコマーシャル手数料（以下、ＣＭ手数料と記載する）を放送局１００２に対して支払う。放送局１００２は、商品販売会社１００１より依頼があった商品をデジタル放送ショッピングとしてデジタル放送で放送する。受信者兼商品購入者１００３はこの放送を受信し、デジタル放送ショッピングを行う。
受信者兼商品購入者１００３が、商品販売会社１００１の商品を購入する場合には、商品の代金を金融機関１００４に対して支払うことにより購入できる。金融会社１００４は、受け取った商品の代金を商品販売会社１００１に支払い、その際仲介手数料を商品販売会社１００１より受け取る。
上述の従来の構成では、デジタル放送ショッピングにより商品販売会社は商品に対する対価を得ることができ、金融会社は仲介手数料を得ることができ、また放送局はＣＭ手数料を得ることができる。しかし、デジタル放送受信機の受信機メーカはデジタル放送ショッピングに貢献しているにも拘わらず、デジタル放送ショッピングシステムへの貢献に対する対価を得ていない。受信機メーカは受信機の販売時に受信機に対する対価を得ているが、受信機の開発や製造に対して更なる企業努力が重ねられていくことが予想され、受信機の製造販売に対する対価の額は今後低下してゆく傾向が予想される。その結果、受信機メーカの経営体質が弱まり、ひいてはわが国の産業発達への貢献が充分には出来なくなる可能性も有り得るという問題点を有している。
【発明の開示】
デジタル放送ショッピングシステムは
購入者発信情報を送出するデジタル放送受信機と、
購入者発信情報を受信し受信機使用料請求情報を送出する受信機メーカ側処理装置と、
購入者発信情報及び受信機使用料請求情報を受信し受信機使用料支払い処理を行う商品販売会社側処理装置と
を備える。
【図面の簡単な説明】  図１は、本発明の実施の形態におけるデジタル放送ショッピングシステムの構成を示すブロック図である。
図２は、図１におけるデジタル放送受信機の構成を示すブロック図である。
図３は、本発明の実施の形態におけるデジタル放送ショッピングシステムの受信者兼商品購入者の部分を更に詳細に示した模式図である。
図４は、本発明の実施の形態におけるデジタル放送ショッピングシステムの受信機メーカと商品販売会社の部分を更に詳細に示した模式図である。
図５は、従来のデジタル放送ショッピングシステムの構成を示すブロック図である。
発明を実施する最良の形態
本発明は上述の従来の問題点を解決するもので、デジタル放送ショッピングシステムへ貢献している者がその貢献に対する対価を得られるデジタル放送ショッピングシステムを提供することを目的とする。本発明は、受信機メーカも、受信機メーカのデジタル放送ショッピングシステムへの貢献に対する対価が得られるデジタル放送ショッピングシステムを提供する。
以下、本発明に係るデジタル放送ショッピングシステムの実施の形態について、図面を参照しながら詳細に説明する。
図１は本発明の実施の形態におけるデジタル放送ショッピングシステムの構成を示すブロック図である。
まず、図１と伴にその動作について説明する。商品販売会社１は、放送局２に対しデジタル放送ショッピングを依頼し、その代金としてＣＭ手数料を放送局２に対して支払う。放送局２は、デジタル放送で商品販売会社１より依頼があった商品をデジタル放送ショッピングとして放送する。受信者兼商品購入者３はこの放送を受信し、デジタル放送ショッピングを行う。金融会社４は、受信者兼商品購入者３代金の支払いを受け取る。受信機メーカ５はデジタル放送受信機１０３を製造したメーカである。
具体的には、このデジタル放送ショッピングシステムは購入者発信情報を受信機メーカ側処理装置１０５及び商品販売会社側処理装置１０１に対して送信するデジタル放送受信機１０３と、この購入者発信情報を受信し受信機使用料請求情報を商品販売会社側処理装置１０１に対して送信する受信機メーカ側処理装置１０５と、この購入者発信情報及び前記受信機使用料請求情報を受信し受信機使用料支払い処理を行う商品販売会社側処理装置１０１を有する。商品販売会社１は商品販売会社側処理装置１０１を有し、受信機メーカ５は受信機メーカ側処理装置１０５を有する。
デジタル放送受信機１０３は、受信者兼商品購入者３の操作に応じて購入者発信情報を作成し送出する。この購入者発信情報は、購入商品情報と購入者情報と受信機メーカ情報と商品販売会社情報と決定キー情報を含んでいる。購入商品情報は購入しようとする商品の商品名及び品番の少なくとも何れかを含む。購入者情報は購入者の指定銀行及び口座番号及び支払い方法及び支払い済みであるか否か情報の少なくとも何れかを含む。受信機メーカ情報は、デジタル放送受信機の受信機メーカ名、受信機品番、購入者ＩＤ情報、受信機メーカの受信機使用料振込先銀行口座番号の少なくとも何れかを含む。商品販売会社情報は、商品販売会社の名前及び連絡先の少なくとも何れかを含む。決定キー情報は、商品販売会社情報、購入決定情報、キャンセル情報、商品情報資料請求情報の少なくとも何れかを含む。また、購入者発信情報は決定キー情報の記録や経緯を含むこともできる。
金融会社４は、受信機兼商品購入者３の支払いに対応して、商品販売会社１に支払いを実施する。商品販売会社１は、金融会社４に対して仲介手数料を支払う。また、受信機メーカ５は、デジタル放送受信機１０３からの購入者発信情報に応じて、受信機使用料請求を商品販売会社１に送出する。商品販売会社１は、この受信機使用料請求に応じて、受信機メーカ５に受信機使用料を支払う。この受信機使用料は、金融会社４を経由して支払われることもある。また、商品販売会社１は、購入者発信情報などに応じて、受信機兼商品購入者３に対して商品発送を実施する。
図２は、デジタル放送を受信するデジタル放送受信機１０３の構成を示すブロック図である。図２において、アンテナ２１はデジタル放送を受信し、チューナ２２は受信したデジタル放送を選局及び復調し、ＭＰＥＧ２トランスポートストリーム（以降、ＭＰＥＧ２−ＴＳと記載する）を生成する。トランスポートデコーダ２３は生成されたＭＰＥＧ２−ＴＳをＰＩＤフィルタおよびセクションフィルタでフィルタリングして、映像や音声のストリームであるＡＶストリームやデータ放送ストリームの抽出を行う。このＡＶストリームは映像ストリームと音声ストリームを含んでいる。ＡＶデコーダ２４はこのＡＶストリームを映像信号や音声信号にデコードする。ＣＰＵ２６はデジタル放送受信機の制御を行うとともにデータ放送ストリームをデコードしてデータ放送コンテンツを表示する為のデータ放送信号を生成する。大容量記録装置としての大容量メモリ２５はＭＰＥＧ２−ＴＳやデータ放送信号やモデム２０で受信したデータを格納する。また大容量メモリ２５はＣＰＵ２６の主記憶メモリとプログラムメモリも兼用する。データ放送表示制御合成回路２７は大容量メモリ２５に格納されたデータ放送信号の表示制御とＡＶデコーダ２４からの映像信号とを合成する。合成された信号はＡＶ出力端子２８から出力される。モデム２０は公衆回線などとつながり、視聴情報などを通信する際に使用される。リモコンインターフェース回路（以降リモコンＩ／Ｆと記載する。また、図２ではリモコンＩ／Ｆと記載する。）２９はデジタル放送受信機１０３をコントロールするリモコンとのインターフェース部である。
図３は本発明の実施の形態におけるデジタル放送ショッピングシステムの受信者兼商品購入者３の部分を更に詳細に示した模式図である。図３において、図１と同じ番号が付与されている部分は図１と同様であり、それらの詳細な説明は省略する。デジタル放送受信機１０３の出力は表示装置３６に入力される。図２に示されたデジタル放送受信機１０３を例に挙げると、ＡＶ出力端子２８から出力された信号が表示装置３６に入力される。そうして、表示装置３６は入力された信号を表示する。表示装置３６に示された各画面は、デジタル放送ショッピングを表示した一例である。この例では、商品ウインド３６１と選択ボタン３６２が表示されている。商品ウインド３６１には商品の外見映像や仕様や特徴などが表示され、選択ボタン３６２としては資料請求や該当する商品購入やキャンセルなどをクリックする為の場所が画面上に表示されている。この画面でショッピングをする際には、受信者兼商品購入者３は商品ウインド３６２を見て購入やキャンセルや商品情報資料請求を行う選択ボタン３６２をリモコン３４の上下左右キー３４１で選択し、決定キー３４２で選択したボタンの内容を実行する。このように、選択ボタン３６２及びリモコン３４に備えられた決定キーで構成される決定ボタンを押すことにより、デジタル放送受信機１０３は内蔵したモデム２０を介し、当該商品の商品販売会社側処理装置１０１と受信機メーカ側処理装置１０５に対し、購入者発信情報を送信する。
尚、この購入者発信情報は所定の通信プロトコルによって、商品販売者側処理装置１０１及び受信機メーカ側処理装置１０５に送信される。
また、図３では、その通信プロトコルに準拠してデータをエンコードしたり変調を掛けたりする通信インターフェースの部分の記載は省略している。
次に、図４は本発明の実施の形態におけるデジタル放送ショッピングシステムの受信機メーカ５の部分と商品販売会社１の部分とを更に詳細に示した模式図である。尚、図１及び図３と同じ番号が付与されている部分は図１及び図３と同様であり、それらの詳細な説明は省略する。また、通信プロトコルに準拠してデータをエンコードしたり、デコードしたり、変調を掛けたり、復調したりする通信インターフェースの部分の記載は省略している。
図４において、受信機メーカ側処理装置１０５は、商品販売会社情報受信手段５１と受信機使用料請求手段５２で構成されている。商品販売会社情報受信手段５１はデジタル放送受信槻１０３から出力される購入者発信情報を受信し、その購入者発信情報から商品販売会社１の名前及び連絡先を抽出する。受信機使用料請求手段５２は商品販売会社情報受信手段５１で抽出した商品販売会社１の名前及び連絡先に基づき受信機使用料を請求する情報を作成する。そうして、受信機使用料請求手段５２は、作成した情報を商品販売会社側処理装置１０１に対して送出する。即ち、受信機使用料請求手段５２は商品販売会社側処理装置１０１に対して受信機使用料請求を行う。
商品販売会社側処理装置１０１は、購入者情報抽出手段１１と、支払い済み確認手段１４と、受信機メーカ情報抽出手段１２と、受信機メーカ確認手段１３と、受信機使用料支払い手段１５とを備えている。購入者情報抽出手段１１はデジタル放送受信機１０３からの購入者発信情報を受信し、この購入者発信情報から購入者情報を抽出する。支払い済み確認手段１４は購入者情報抽出手段１１の出力に基づき、受信者兼商品購入者３が支払い済みであることを示す情報を入手する。
また、受信機メーカ情報抽出手段１２は購入者発信情報からデジタル放送受信機１０３を製造した受信機メーカ５のメーカ名、受信機メーカ５の受信機使用料振込先銀行、及び口座情報の少なくとも何れかを抽出する。受信機メーカ確認手段１３は受信機使用料請求を送信した受信機メーカ側処理装置１０５の受信機メーカと受信機メーカ抽出手段１２で抽出された受信機メーカとが同一であるか否かを確認する。受信機使用料支払い手段１５は、支払い済み確認手段１４からの支払い済み情報に基づき、受信機メーカ確認手段１３で確認された受信機メーカ５へ受信機使用料の支払い処理を実行する。この受信機メーカ受信機使用料の支払い処理は、確認手段１３で確認された受信機メーカの受信機使用料振込先銀行の口座に対して受信機使用料の送金処理を行うことも可能である。この様にして、受信機使用料支払い手段１５により、受信機メーカ５に対して受信機使用料の支払いが実行される。
ところで、図１から図４でのデジタル放送受信機１０３と販売会社側処理装置１０１と受信機メーカ側処理装置１０５と金融会社４との間で送受信される信号の形態の一例を以下に記載する。これらの信号としては、発信元の識別、受信先の識別、送出される情報の種類、送出される情報自体、誤り訂正用の冗長情報などで構成される。そうして、これらの情報は所定の順序で並べられてデータ列を構成する。このデータ列に所定の変調が掛けられる。上述の購入者発信情報もこのような信号である。販売会社情報受信手段５１と購入者情報抽出手段１１と受信機メーカ情報抽出手段１２は、発信元の識別、受信先の識別、送出されている情報の種類、送出されている情報自体などを監視し、各手段それぞれが必要とする情報を抽出する。これらの各手段は、抽出した情報を基にしてそれぞれ所定の処理を実行する。
本発明は、デジタル放送受信機の受信機使用料は当該商品の単価に依存しない様にすることができるし、受信機のハードウェアのどの部分を使用するかには依存しない様にすることもできる。その具体的な例としては、受信者兼商品購入者３が資料請求を実施した毎に所定の課金をしたり、受信者兼商品購入者３が購入を決定した毎に所定の課金をしたりすることが挙げられる。
また、本発明は受信機使用料が、当該商品単価あるいは受信機のハードウェアのどの部分を使用するかに依存する様にすることもできる。
また、本発明では、課金はリモコン３４の決定キー３４２で購入決定、キャンセル又は商品情報資料請求のいづれかを行った度に行う。ここで、購入が決まった場合と、キャンセルと、商品情報資料請求とで課金金額を可変にすることができる。
以上のように本実施の形態によれば、デジタル放送ショッピングで、商品販売会社に対して購入決定やキャンセルや商品情報資料請求などの依頼をするたびに、商品販売会社に対して受信機使用料を請求し課金を行うことが出来る。これにより、デジタル放送受信機メーカは、デジタル放送ショッピングでの貢献に相応しい恩恵を受けることができる。
以上のように本発明は、デジタル放送ショッピングシステムへ貢献している者がその貢献に対する対価を得られるデジタル放送ショッピングシステムを提供することができる。本発明によれば、受信機メーカも、受信機メーカのデジタル放送ショッピングシステムへの貢献に対する対価が得られるデジタル放送ショッピングシステムを提供することができるという優れた効果が得られる。
【産業上の利用可能性】  本発明によるデジタル放送ショッピングシステムは、デジタル放送ショッピングシステムへ貢献している者がその貢献に対する対価を得られるデジタル放送ショッピングシステムを提供することができる。本発明によれば、受信機メーカも、受信機メーカのデジタル放送ショッピングシステムへの貢献に対する対価が得られる。
図面の参照符号の一覧表
１  商品販売会社
２  放送局
３  受信者兼商品購入者
４  金融会社
５  受信機メーカ
１１  購入者情報抽出手段
１２  受信機メーカ情報抽出手段
１３  受信機メーカ確認手段
１４  支払い済み確認手段
１５  受信機使用料支払い手段
２０  モデム
２１  アンテナ
２２  チューナ
２３  トランスポートデコーダ
２４  ＡＶデコーダ
２５  大容量メモリ（大容量記録装置）
２６  ＣＰＵ
２７  データ放送表示制御合成回路
２８  ＡＶ出力端子
２９  リモコンＩ／Ｆ（リモコンインターフェース）
３４  リモコン
３５  受信機メーカ
３６  表示装置
５１  商品販売会社情報受信手段
５２  受信機使用料請求手段
１０１  商品販売会社側処理装置
１０３  デジタル放送受信機
１０５  受信機メーカ側処理装置
３４１  上下左右キー
３４２  決定キー
３６１  商品ウインド
３６２  選択ボタン
【図１】
2004029846.tif 000003
【図２】
2004029846.tif 000004
【図３】
2004029846.tif 000005
【図４】
2004029846.tif 000006
【図５】
2004029846.tif 000007
【手続補正書】
【提出日】平成16年1月7日(2004.1.7)
【手続補正１】
【補正対象書類名】特許請求の範囲
【補正対象項目名】全文
【補正方法】変更
【補正の内容】
【特許請求の範囲】
【請求項１】
購入者発信情報を送出するデジタル放送受信機と、
前記購入者発信情報を受信し受信機使用料請求情報を送出する受信機メーカ側処理装置と、
前記購入者発信情報及び前記受信機使用料請求情報を受信し受信機使用料支払い処理を行う商品販売会社側処理装置と
を備えたデジタル放送ショッピングシステム。
【請求項２】
前記購入者発信情報は、
購入しようとする商品の商品名と品番との少なくとも何れかを含む購入商品情報と、
購入者の指定銀行と口座番号と支払い方法との少なくとも何れかを含む購入者情報と、
前記デジタル放送受信機のメーカ名と受信機品番と購入者ＩＤ情報と受信機メーカの受信機使用料振込先銀行と口座番号との少なくとも何れかを含む受信機メーカ情報と、
商品販売会社の名前と連絡先との少なくとも何れかを含む商品販売会社情報と、
購入決定情報とキャンセル情報と商品情報資料請求情報との少なくとも何れかを含む決定キー情報と
を含む請求項１記載のデジタル放送ショッピングシステム。
【請求項３】
前記デジタル放送受信機はリモコンで制御され、
前記リモコンはデジタル放送でショッピングをする際に、購入決定とキャンセルと商品情報資料請求との少なくとも何れを行う決定  ボタンをリモコンに備え、
前記デジタル放送受信機は前記決定  ボタンを押されることにより前記購入者発信情報を送信する
請求項２記載のデジタル放送ショッピングシステム。
【請求項４】
前記デジタル放送受信機は、
デジタル放送を受信するアンテナと、
前記アンテナで受信したデジタル放送の選局と復調処理を行うチューナと、
前記チューナで選局及び復調された信号から映像ストリームと音声ストリームとデータ放送ストリームを抽出するトランスポートデコーダと、
前記映像ストリーム又は前記音声ストリームを映像信号又は音声信号にデコードするＡＶデコーダと、
前記データ放送ストリームをデータ放送信号にデコードするＣＰＵと、
前記データ放送信号と前記映像信号とを合成するデータ放送表示制御合成回路と、
前記合成回路の出力と前記音声信号を出力する出力端子と、
公衆回線との接続を行うモデムと、
前記デジタル受信機をリモコンで制御するためのリモコンインターフェース回路と、
前記データ放送ストリームと前記データ放送信号と前記映像ストリームと前記音声ストリームを蓄積する大容量記録装置と
を備えた請求項２記載のデジタル放送ショッピングシステム。
【請求項５】
前記受信機メーカ側処理装置は、
前記購入者発信情報を受信し、前記購入者発信情報から前記商品販売会社情報を抽出する商品販売会社情報受信手段と、
前記商品販売会社情報受信手段の出力に基づき前記商品販売会社側処理装置に対して受信機使用料を請求する情報を送出する受信機使用料請求手段と
を備えた請求項２記載のデジタル放送ショッピングシステム。
【請求項６】
前記商品販売会社側処理装置は、
前記購入者発信情報を受信し、前記購入者発信情報から前記購入者情報を抽出する購入者情報抽出手段と、
前記購入者情報抽出手段の出力に基づき購入者が支払い済みであることを示す情報を入手する支払い済み確認手段と
を備えた請求項２記載のデジタル放送ショッピングシステム。
【請求項７】
前記商品販売会社側処理装置は、
前記購入者発信情報から前記メーカ名と前記受信機使用料振込先銀行と前記口座情報との少なくとも何れかを抽出する受信機メーカ情報抽出手段と、
前記受信機使用料請求を送出した前記受信機メーカ側処理装置の受信機メーカと前記受信機メーカ抽出手段で抽出された受信機メーカとが同一であるか否かを確認する受信機メーカ確認手段と、
前記支払い済み確認手段からの支払い済みであることを示す情報に基づき前記受信機メーカ確認手段で確認された受信機メーカの前記受信機使用料振込先銀行の口座に対して前記受信機使用料の送金処理を行う受信機使用料支払い手段と
を更に備えた請求項６記載のデジタル放送ショッピングシステム。
【請求項８】
前記受信機使用料は、前記決定ボタンで、購入決定、キャンセル又は商品情報資料請求のいづれかを行った場合に課金する請求項３記載のデジタル放送ショッピングシステム。
【手続補正２】
【補正対象書類名】明細書
【補正対象項目名】全文
【補正方法】変更
【補正の内容】
【発明の詳細な説明】
【技術分野】
【０００１】
本発明はデジタル放送を利用したショッピング、即ちデジタル放送ショッピングシステムに関する。
【背景技術】
【０００２】
近年、ＢＳ放送（日本の放送衛星によるテレビジョン放送）やＣＳ放送（日本の通信衛星によるテレビジョン放送）がデジタル化され、デジタルテレビジョン放送（以降、デジタル放送と記載する）が普及の方向にある。デジタル放送では、映像や音声の高品質化に加え、データ放送によるショッピングも注目をあびている。
【０００３】
デジタル放送ショッピングシステムでは、放送でＣＭ（コマーシャルメッセージ）などが送信され、そのデータは受信機内部の大容量記録装置に記録される。ショッピング時には、放送で送られてきたＣＭなどのデータがデコードされてテレビなどに表示され、テレビを見ながらショッピングが行われる。また購入が決定した場合や更なる商品情報請求は、デジタル放送受信機に内蔵されているモデムを用いて行われる。
【０００４】
以下、図５を用いて従来のデジタル放送ショッピングシステムについて説明する。商品販売会社１００１は、放送局１００２に対しデジタル放送ショッピングを依頼し、その代金としてコマーシャル手数料（以下、ＣＭ手数料と記載する）を放送局１００２に対して支払う。放送局１００２は、商品販売会社１００１より依頼があった商品をデジタル放送ショッピングとしてデジタル放送で放送する。受信者兼商品購入者１００３はこの放送を受信し、デジタル放送ショッピングを行う。
【０００５】
受信者兼商品購入者１００３が、商品販売会社１００１の商品を購入する場合には、商品の代金を金融機関１００４に対して支払うことにより購入できる。金融会社１００４は、受け取った商品の代金を商品販売会社１００１に支払い、その際仲介手数料を商品販売会社１００１より受け取る。
【発明の開示】
【発明が解決しようとする課題】
【０００６】
上述の従来の構成では、デジタル放送ショッピングにより商品販売会社は商品に対する対価を得ることができ、金融会社は仲介手数料を得ることができ、また放送局はＣＭ手数料を得ることができる。しかし、デジタル放送受信機の受信機メーカはデジタル放送ショッピングに貢献しているにも拘わらず、デジタル放送ショッピングシステムへの貢献に対する対価を得ていない。受信機メーカは受信機の販売時に受信機に対する対価を得ているが、受信機の開発や製造に対して更なる企業努力が重ねられていくことが予想され、受信機の製造販売に対する対価の額は今後低下してゆく傾向が予想される。その結果、受信機メーカの経営体質が弱まり、ひいてはわが国の産業発達への貢献が充分には出来なくなる可能性も有り得るという問題点を有している。
【課題を解決するための手段】
【０００７】
デジタル放送ショッピングシステムは購入者発信情報を送出するデジタル放送受信機と、購入者発信情報を受信し受信機使用料請求情報を送出する受信機メーカ側処理装置と、購入者発信情報及び受信機使用料請求情報を受信し受信機使用料支払い処理を行う商品販売会社側処理装置とを備える。
【発明の効果】
【０００８】
本発明によるデジタル放送ショッピングシステムは、デジタル放送ショッピングシステムへ貢献している者がその貢献に対する対価を得られるデジタル放送ショッピングシステムを提供することができる。本発明によれば、受信機メーカも、受信機メーカのデジタル放送ショッピングシステムへの貢献に対する対価が得られる。
【発明を実施するための最良の形態】
【０００９】
本発明は上述の従来の問題点を解決するもので、デジタル放送ショッピングシステムへ貢献している者がその貢献に対する対価を得られるデジタル放送ショッピングシステムを提供することを目的とする。本発明は、受信機メーカも、受信機メーカのデジタル放送ショッピングシステムへの貢献に対する対価が得られるデジタル放送ショッピングシステムを提供する。
【００１０】
以下、本発明に係るデジタル放送ショッピングシステムの実施の形態について、図面を参照しながら詳細に説明する。
【００１１】
図１は本発明の実施の形態におけるデジタル放送ショッピングシステムの構成を示すブロック図である。
【００１２】
まず、図１と伴にその動作について説明する。商品販売会社１は、放送局２に対しデジタル放送ショッピングを依頼し、その代金としてＣＭ手数料を放送局２に対して支払う。放送局２は、デジタル放送で商品販売会社１より依頼があった商品をデジタル放送ショッピングとして放送する。受信者兼商品購入者３はこの放送を受信し、デジタル放送ショッピングを行う。金融会社４は、受信者兼商品購入者３代金の支払いを受け取る。受信機メーカ５はデジタル放送受信機１０３を製造したメーカである。
【００１３】
具体的には、このデジタル放送ショッピングシステムは購入者発信情報を受信機メーカ側処理装置１０５及び商品販売会社側処理装置１０１に対して送信するデジタル放送受信機１０３と、この購入者発信情報を受信し受信機使用料請求情報を商品販売会社側処理装置１０１に対して送信する受信機メーカ側処理装置１０５と、この購入者発信情報及び前記受信機使用料請求情報を受信し受信機使用料支払い処理を行う商品販売会社側処理装置１０１を有する。商品販売会社１は商品販売会社側処理装置１０１を有し、受信機メーカ５は受信機メーカ側処理装置１０５を有する。
【００１４】
デジタル放送受信機１０３は、受信者兼商品購入者３の操作に応じて購入者発信情報を作成し送出する。この購入者発信情報は、購入商品情報と購入者情報と受信機メーカ情報と商品販売会社情報と決定キー情報を含んでいる。購入商品情報は購入しようとする商品の商品名及び品番の少なくとも何れかを含む。購入者情報は購入者の指定銀行及び口座番号及び支払い方法及び支払い済みであるか否か情報の少なくとも何れかを含む。受信機メーカ情報は、デジタル放送受信機の受信機メーカ名、受信機品番、購入者ＩＤ情報、受信機メーカの受信機使用料振込先銀行口座番号の少なくとも何れかを含む。商品販売会社情報は、商品販売会社の名前及び連絡先の少なくとも何れかを含む。決定キー情報は、商品販売会社情報、購入決定情報、キャンセル情報、商品情報資料請求情報の少なくとも何れかを含む。また、購入者発信情報は決定キー情報の記録や経緯を含むこともできる。
【００１５】
金融会社４は、受信機兼商品購入者３の支払いに対応して、商品販売会社１に支払いを実施する。商品販売会社１は、金融会社４に対して仲介手数料を支払う。また、受信機メーカ５は、デジタル放送受信機１０３からの購入者発信情報に応じて、受信機使用料請求を商品販売会社１に送出する。商品販売会社１は、この受信機使用料請求に応じて、受信機メーカ５に受信機使用料を支払う。この受信機使用料は、金融会社４を経由して支払われることもある。また、商品販売会社１は、購入者発信情報などに応じて、受信機兼商品購入者３に対して商品発送を実施する。
【００１６】
図２は、デジタル放送を受信するデジタル放送受信機１０３の構成を示すブロック図である。図２において、アンテナ２１はデジタル放送を受信し、チューナ２２は受信したデジタル放送を選局及び復調し、ＭＰＥＧ２トランスポートストリーム（以降、ＭＰＥＧ２−ＴＳと記載する）を生成する。トランスポートデコーダ２３は生成されたＭＰＥＧ２−ＴＳをＰＩＤフィルタおよびセクションフィルタでフィルタリングして、映像や音声のストリームであるＡＶストリームやデータ放送ストリームの抽出を行う。このＡＶストリームは映像ストリームと音声ストリームを含んでいる。ＡＶデコーダ２４はこのＡＶストリームを映像信号や音声信号にデコードする。ＣＰＵ２６はデジタル放送受信機の制御を行うとともにデータ放送ストリームをデコードしてデータ放送コンテンツを表示する為のデータ放送信号を生成する。大容量記録装置としての大容量メモリ２５はＭＰＥＧ２−ＴＳやデータ放送信号やモデム２０で受信したデータを格納する。また大容量メモリ２５はＣＰＵ２６の主記憶メモリとプログラムメモリも兼用する。データ放送表示制御合成回路２７は大容量メモリ２５に格納されたデータ放送信号の表示制御とＡＶデコーダ２４からの映像信号とを合成する。合成された信号はＡＶ出力端子２８から出力される。モデム２０は公衆回線などとつながり、視聴情報などを通信する際に使用される。リモコンインターフェース回路（以降リモコンＩ／Ｆと記載する。また、図２ではリモコンＩ／Ｆと記載する。）２９はデジタル放送受信機１０３をコントロールするリモコンとのインターフェース部である。
【００１７】
図３は本発明の実施の形態におけるデジタル放送ショッピングシステムの受信者兼商品購入者３の部分を更に詳細に示した模式図である。図３において、図１と同じ番号が付与されている部分は図１と同様であり、それらの詳細な説明は省略する。デジタル放送受信機１０３の出力は表示装置３６に入力される。図２に示されたデジタル放送受信機１０３を例に挙げると、ＡＶ出力端子２８から出力された信号が表示装置３６に入力される。そうして、表示装置３６は入力された信号を表示する。表示装置３６に示された各画面は、デジタル放送ショッピングを表示した一例である。この例では、商品ウインド３６１と選択ボタン３６２が表示されている。商品ウインド３６１には商品の外見映像や仕様や特徴などが表示され、選択ボタン３６２としては資料請求や該当する商品購入やキャンセルなどをクリックする為の場所が画面上に表示されている。この画面でショッピングをする際には、受信者兼商品購入者３は商品ウインド３６２を見て購入やキャンセルや商品情報資料請求を行う選択ボタン３６２をリモコン３４の上下左右キー３４１で選択し、決定キー３４２で選択したボタンの内容を実行する。このように、選択ボタン３６２及びリモコン３４に備えられた決定キーで構成される決定ボタンを押すことにより、デジタル放送受信機１０３は内蔵したモデム２０を介し、当該商品の商品販売会社側処理装置１０１と受信機メーカ側処理装置１０５に対し、購入者発信情報を送信する。
【００１８】
尚、この購入者発信情報は所定の通信プロトコルによって、商品販売者側処理装置１０１及び受信機メーカ側処理装置１０５に送信される。
【００１９】
また、図３では、その通信プロトコルに準拠してデータをエンコードしたり変調を掛けたりする通信インターフェースの部分の記載は省略している。
【００２０】
次に、図４は本発明の実施の形態におけるデジタル放送ショッピングシステムの受信機メーカ５の部分と商品販売会社１の部分とを更に詳細に示した模式図である。尚、図１及び図３と同じ番号が付与されている部分は図１及び図３と同様であり、それらの詳細な説明は省略する。また、通信プロトコルに準拠してデータをエンコードしたり、デコードしたり、変調を掛けたり、復調したりする通信インターフェースの部分の記載は省略している。
【００２１】
図４において、受信機メーカ側処理装置１０５は、商品販売会社情報受信手段５１と受信機使用料請求手段５２で構成されている。商品販売会社情報受信手段５１はデジタル放送受信機１０３から出力される購入者発信情報を受信し、その購入者発信情報から商品販売会社１の名前及び連絡先を抽出する。受信機使用料請求手段５２は商品販売会社情報受信手段５１で抽出した商品販売会社１の名前及び連絡先に基づき受信機使用料を請求する情報を作成する。そうして、受信機使用料請求手段５２は、作成した情報を商品販売会社側処理装置１０１に対して送出する。即ち、受信機使用料請求手段５２は商品販売会社側処理装置１０１に対して受信機使用料請求を行う。
【００２２】
商品販売会社側処理装置１０１は、購入者情報抽出手段１１と、支払い済み確認手段１４と、受信機メーカ情報抽出手段１２と、受信機メーカ確認手段１３と、受信機使用料支払い手段１５とを備えている。購入者情報抽出手段１１はデジタル放送受信機１０３からの購入者発信情報を受信し、この購入者発信情報から購入者情報を抽出する。支払い済み確認手段１４は購入者情報抽出手段１１の出力に基づき、受信者兼商品購入者３が支払い済みであることを示す情報を入手する。
【００２３】
また、受信機メーカ情報抽出手段１２は購入者発信情報からデジタル放送受信機１０３を製造した受信機メーカ５のメーカ名、受信機メーカ５の受信機使用料振込先銀行、及び口座情報の少なくとも何れかを抽出する。受信機メーカ確認手段１３は受信機使用料請求を送信した受信機メーカ側処理装置１０５の受信機メーカと受信機メーカ抽出手段１２で抽出された受信機メーカとが同一であるか否かを確認する。受信機使用料支払い手段１５は、支払い済み確認手段１４からの支払い済み情報に基づき、受信機メーカ確認手段１３で確認された受信機メーカ５へ受信機使用料の支払い処理を実行する。この受信機メーカ受信機使用料の支払い処理は、確認手段１３で確認された受信機メーカの受信機使用料振込先銀行の口座に対して受信機使用料の送金処理を行うことも可能である。この様にして、受信機使用料支払い手段１５により、受信機メーカ５に対して受信機使用料の支払いが実行される。
【００２４】
ところで、図１から図４でのデジタル放送受信機１０３と販売会社側処理装置１０１と受信機メーカ側処理装置１０５と金融会社４との間で送受信される信号の形態の一例を以下に記載する。これらの信号としては、発信元の識別、受信先の識別、送出される情報の種類、送出される情報自体、誤り訂正用の冗長情報などで構成される。そうして、これらの情報は所定の順序で並べられてデータ列を構成する。このデータ列に所定の変調が掛けられる。上述の購入者発信情報もこのような信号である。販売会社情報受信手段５１と購入者情報抽出手段１１と受信機メーカ情報抽出手段１２は、発信元の識別、受信先の識別、送出されている情報の種類、送出されている情報自体などを監視し、各手段それぞれが必要とする情報を抽出する。これらの各手段は、抽出した情報を基にしてそれぞれ所定の処理を実行する。
【００２５】
本発明は、デジタル放送受信機の受信機使用料は当該商品の単価に依存しない様にすることができるし、受信機のハードウェアのどの部分を使用するかには依存しない様にすることもできる。その具体的な例としては、受信者兼商品購入者３が資料請求を実施した毎に所定の課金をしたり、受信者兼商品購入者３が購入を決定した毎に所定の課金をしたりすることが挙げられる。
【００２６】
また、本発明は受信機使用料が、当該商品単価あるいは受信機のハードウェアのどの部分を使用するかに依存する様にすることもできる。
【００２７】
また、本発明では、課金はリモコン３４の決定キー３４２で購入決定、キャンセル又は商品情報資料請求のいづれかを行った度に行う。ここで、購入が決まった場合と、キャンセルと、商品情報資料請求とで課金金額を可変にすることができる。
【００２８】
以上のように本実施の形態によれば、デジタル放送ショッピングで、商品販売会社に対して購入決定やキャンセルや商品情報資料請求などの依頼をするたびに、商品販売会社に対して受信機使用料を請求し課金を行うことが出来る。これにより、デジタル放送受信機メーカは、デジタル放送ショッピングでの貢献に相応しい恩恵を受けることができる。
【００２９】
以上のように本発明は、デジタル放送ショッピングシステムへ貢献している者がその貢献に対する対価を得られるデジタル放送ショッピングシステムを提供することができる。本発明によれば、受信機メーカも、受信機メーカのデジタル放送ショッピングシステムへの貢献に対する対価が得られるデジタル放送ショッピングシステムを提供することができるという優れた効果が得られる。
【産業上の利用可能性】
【００３０】
本発明によるデジタル放送ショッピングシステムは、デジタル放送ショッピングシステムへ貢献している者がその貢献に対する対価を得られるデジタル放送ショッピングシステムを提供することができる。本発明によれば、受信機メーカも、受信機メーカのデジタル放送ショッピングシステムへの貢献に対する対価が得られる。
【図面の簡単な説明】
【００３１】
【図１】本発明の実施の形態におけるデジタル放送ショッピングシステムの構成を示すブロック図
【図２】図１におけるデジタル放送受信機の構成を示すブロック図
【図３】本発明の実施の形態におけるデジタル放送ショッピングシステムの受信者兼商品購入者の部分を更に詳細に示した模式図
【図４】本発明の実施の形態におけるデジタル放送ショッピングシステムの受信機メーカと商品販売会社の部分を更に詳細に示した模式図
【図５】従来のデジタル放送ショッピングシステムの構成を示すブロック図
【符号の説明】
【００３２】
１  商品販売会社
２  放送局
３  受信者兼商品購入者
４  金融会社
５  受信機メーカ
１１  購入者情報抽出手段
１２  受信機メーカ情報抽出手段
１３  受信機メーカ確認手段
１４  支払い済み確認手段
１５  受信機使用料支払い手段
２０  モデム
２１  アンテナ
２２  チューナ
２３  トランスポートデコーダ
２４  ＡＶデコーダ
２５  大容量メモリ（大容量記録装置）
２６  ＣＰＵ
２７  データ放送表示制御合成回路
２８  ＡＶ出力端子
２９  リモコンＩ／Ｆ（リモコンインターフェース）
３４  リモコン
３５  受信機メーカ
３６  表示装置
５１  商品販売会社情報受信手段
５２  受信機使用料請求手段
１０１  商品販売会社側処理装置
１０３  デジタル放送受信機
１０５  受信機メーカ側処理装置
３４１  上下左右キー
３４２  決定キー
３６１  商品ウインド
３６２  選択ボタン
【手続補正３】
【補正対象書類名】図面
【補正対象項目名】全図
【補正方法】変更
【補正の内容】
【図１】
2004029846.tif 000008
【図２】
2004029846.tif 000009
【図３】
2004029846.tif 000010
【図４】
2004029846.tif 000011
【図５】
2004029846.tif 000012
【国際調査報告】
2004029846.tif 000013
2004029846.tif 000014